(57)【要約】【課題】  本発明は防塵ネットの着脱作業を容易にし、メンテナンス作業の効率を向上させる装置を提供することを課題とする。【構成】  建設機械のオイルクーラ又はラジエータを有する熱交換装置の表面側に固定板を設けて、該固定板に着脱自在に設ける防塵ネットにおいて、該防塵ネットの上部にワンタッチクリップを設け、かつ該防塵ネットの下部に係止用フックを設けて防塵ネットの着脱を容易にすると共に、前記ワンタッチクリップが前記防塵ネットから離脱しないように取り付けたことを特徴とする。【選択図】  図１
2011236693.tif 000002
【特許請求の範囲】
【請求項１】
建設機械のオイルクーラ又はラジエータを有する熱交換装置の表面側に固定板を設けて、該固定板に着脱自在に設ける防塵ネットにおいて、該防塵ネットの上部にワンタッチクリップを設け、かつ該防塵ネットの下部に係止用フックを設けて防塵ネットの着脱を容易にすると共に、前記ワンタッチクリップが前記防塵ネットから離脱しないように離脱防止手段を取り付けたことを特徴とする建設機械の熱交換器の防塵装置。
【請求項２】
前記ワンタッチクリップは把手とキー部を具備し、該キー部と係止する鍵穴部にキーの自由回転を防止する手段を設けて前記防塵ネットが前記固定板から自由に離脱しないように構成したことを特徴とする請求項１に記載の建設機械の熱交換器の防塵装置。
【請求項３】
前記キーの自由回転を防止する手段は、前記鍵穴部を有する板部材を前記キーの挿入方向に対して上下方向に傾斜させて設けたことを特徴とする請求項２に記載の建設機械の熱交換器の防塵装置。
【請求項４】
前記係止用フックは断面がＹ字形状又はＵ字形状の突起物を設けて構成したことを特徴とする請求項１〜請求項３の何れか１に記載の建設機械の熱交換器の防塵装置。
【請求項５】
前記ワンタッチクリップは把手とキー部を具備し、該キー部は鉄製ブロックで構成し、該キー部と係止する鍵穴部に磁石を設けてキーの自由回転を防止して前記防塵ネットが前記固定板から自由に離脱しないように構成したことを特徴とする請求項１に記載の建設機械の熱交換器の防塵装置。
【請求項６】
前記ワンタッチクリップは略９０度〜略１３５度の把手の回転で脱着可能としたことを特徴とする請求項１〜請求項５の何れか１に記載の建設機械の熱交換器の防塵装置。
【請求項７】
前記離脱防止手段は、前記ワンタッチクリップを前記防塵ネットの垂直方向に往復動を可能にすると共に、該防塵ネットから離脱困難又は離脱不能な手段としたことを特徴とする請求項１〜請求項６の何れか１に記載の建設機械の熱交換器の防塵装置。
【請求項８】
前記離脱困難な離脱防止手段は、該離脱防止手段を該防塵ネットに取り付けた後で前記ワンタッチクリップを前記防塵ネットに装着可能に構成したことを特徴とする請求項７に記載の建設機械の熱交換器の防塵装置。
【請求項９】
前記離脱不能な離脱防止手段は、該離脱防止手段を該防塵ネットに取り付けた後で、前記ワンタッチクリップを前記防塵ネットに装着並びに離脱を不能に構成したことを特徴とする請求項７に記載の建設機械の熱交換器の防塵装置。
【発明の詳細な説明】
【技術分野】
【０００１】
この発明は、建設機械の熱交換装置に関するものであり、更に具体的には熱交換器を冷却する冷却風の浮遊物を除去するための防塵装置に関する。
【背景技術】
【０００２】
建設機械は多くの粉塵の中で作業されることが多く、粉塵が混じった冷却風によりラジエータ等の熱交換器に粉塵が付着して熱交換器の熱交換率を低下させてしまう。そこで従来から熱交換器の冷却風吸い込み側に防塵ネットを設置して熱交換器のフィンの目詰まりや熱交換器への粉塵の付着を防止する工夫が行われてきた。また、防塵ネットの設置方法としては熱交換器の冷風取り入れ側に防塵ネットを装着する方式を採用されている。また、防塵ネット自体の工夫の他に装着方式も種々の方法が考案されている。例えば、特許文献１に示す防塵ネットの装着方式は熱交換器のフレームの前面の両縁に溝状のガイドを設け、防塵ネットのフレームの両側に摺動部を設けて上方から摺動部をガイドの溝に間挿しながら、下方に摺動させて装着する方式が採用されている。
【特許文献１】公開特許公報、特開２００８−２４１１２９号、建設機械用熱交換器の防塵ネット
【０００３】
また、特許文献２に示す装着方式は熱交換器のフレームの外周に複数のフックを設け、一方、防塵ネットは軟質通気性のネットを使用し、防塵ネットの縁部に掛け止めリングを設けて、これらの掛け止めリングをフックに係止する方式を採用している。
【特許文献２】公開特許公報、特開２００５−２３８２５号、建設機械の熱交換装置
【０００４】
また、特許文献３に示す装着方式は本願の発明を適用するに適した方式であり、図５に示す。図５に示す熱交換装置はラジエータ５１とオイルクーラ５４を備えており、ラジエータ５１は上部タンク５１ａ、下部タンク５１ｂ及び放熱部５１ｃから構成されている。また、ラジエータ５１は左右の側枠５２ａ、５２ｂに固定され、左右の側枠５２ａ、５２ｂはラジエータ支持台５３に固定されている。一方、オイルクーラ５４は左右のタンク５４ａ、５４ｂと放熱部５４ｃから構成されている。オイルクーラ５４はクランプ５５によって左右の側枠５２ａ、５２ｂに狭持されて固定されている。更に、側枠５２ａ、５２ｂの上部にブラケット５６が固定されており、ブラケット５６に防塵ネット６０を固定する固定板６１，６１が設けられている。固定板６１の上縁にはネジ座が設けられている。さらに、ラジエータ５１の下方には係合ピン６２と防塵ネットの下枠をガイドする挿入ガイド６３が設けられている。
【０００５】
一方、防塵ネット６０はネット支持枠６４と防塵ネット６５から構成されている。支持枠６４の上縁には蝶ボルト７０を挿入するための切欠き７１が設けられており、下枠には係合ピン６２に係合させるための切欠き７３が設けられている。以上の構成により、防塵ネット６０の装着は、先ず、切欠き７３を係合ピン６２に係合させて防塵ネットの位置決めをし、次いで蝶ボルト７０を固定板６１のネジ座に螺合し、固定することによって行われる。取り外しは逆の順序で行われる。
【特許文献３】公開特許公報、特開２００３−３２２４８９号、建設機械の熱交換装置
【発明の開示】
【発明が解決しようとする課題】
【０００６】
前記した特許文献３に示されているような装着方式では、ボルト等のネジ類を使用するため、防塵ネットの着脱作業が複雑になるだけでなく、外したネジ類を紛失してしまうことによって取付け作業が困難又は不完全にされる可能性も生じる。本発明は防塵ネットの着脱作業を容易にし、メンテナンス作業の効率を向上させる装置を提供することを課題とする。
【課題を解決するための手段】
【０００７】
本発明は上記の課題を解決するための手段として以下の構成を採用している。即ち、
請求項１に記載の発明は、建設機械のオイルクーラ又はラジエータを有する熱交換装置の表面側に固定板を設けて、該固定板に着脱自在に設ける防塵ネットにおいて、該防塵ネットの上部にワンタッチクリップを設け、かつ該防塵ネットの下部に係止用フックを設けて防塵ネットの着脱を容易にすると共に、前記ワンタッチクリップが前記防塵ネットから離脱しないように取り付けたことを特徴としている。
【０００８】
請求項２に記載の発明は、請求項１に記載の発明において、前記ワンタッチクリップは把手とキー部を具備し、該キー部と係止する鍵穴部にキーの自由回転を防止する手段を設けて前記防塵ネットが前記固定板から自由に離脱しないように構成したことを特徴としている。
【０００９】
請求項３は請求項２に記載の発明において、前記キーの自由回転を防止する手段は、前記鍵穴部を有する板部材を前記キーの挿入方向に対して上下方向に傾斜させて設けたことを特徴としている。
【００１０】
また、請求項４に記載の発明は請求項１〜請求項３に記載の発明において、前記係止用フックは断面がＹ字形状またはＵ字形状の突起物を設けて構成したことを特徴としている。
【００１１】
請求項５に記載の発明は、請求項１に記載の発明において、前記ワンタッチクリップは把手とキー部を具備し、該キー部は鉄製ブロックで構成し、該キー部と係止する鍵穴部に磁石を設けてキーの自由回転を防止して前記防塵ネットが前記固定板から自由に離脱しないように構成したことを特徴としている。
【００１２】
請求項６に記載の発明は、請求項１〜請求項５に記載の発明において、前記ワンタッチクリップは略９０度〜略１３５度の把手の回転で脱着可能としたことを特徴としている。
【００１３】
請求項７に記載の発明は、請求項１〜請求項６に記載の発明において、前記離脱防止手段は、前記ワンタッチクリップを前記防塵ネットの垂直方向に往復動を可能にすると共に、該防塵ネットから離脱困難又は離脱不能な手段としたことを特徴としている。
【００１４】
請求項８に記載の発明は、請求項７に記載の発明において、前記離脱困難な離脱防止手段は、該離脱防止手段を該防塵ネットに取り付けた後で前記ワンタッチクリップを前記防塵ネットに装着可能に構成したことを特徴としている。
【００１５】
請求項９に記載の発明は、請求項７に記載の発明において、前記離脱不能な離脱防止手段は、該離脱防止手段を該防塵ネットに取り付けた後で、前記ワンタッチクリップを前記防塵ネットに装着並びに離脱を不能に構成したことを特徴としている。
【発明の効果】
【００１６】
防塵ネットの取り外し、取付け作業が容易となり、防塵ネットや通風口の清掃が容易になるという効果が得られる。更に、ワンタッチクリップの紛失を防止し、円滑かつ完全な脱着作業を確保できるという効果が得られる。
【発明を実施するための最良の形態】
【００１７】
以下本発明の実施形態を図に基づいて説明する。本実施形態では図５に示す従来装置と同様な構成を採用する。即ち、側枠にブラケットを設けて固定板２１としてもよい。又、防塵ネットの下部の固定は係合ピン６２と切欠き７３と同様な構成を採用してもよい。以下には上記従来装置（図５）と異なる点について詳細に説明する。
図１は実施形態１の斜視図を示す。図１（Ａ）はキー側の斜視図で、図１（Ｂ）は錠側（固定側）の斜視図を示す。図２は実施形態１の断面図を示す。図２（Ｂ）はキー側の断面図を示し、図２（Ａ）は鍵穴側の断面図を示す。図２（Ｃ）、（Ｄ）は図２（Ａ）のＸ−Ｘ、Ｙ−Ｙから見た断面図を示す。図１、２において、キー側は以下のように構成されている。即ち、図１（Ａ）及び図２（Ｂ）に示すように、防塵ネット１１はネット１１ａと縁枠１１ｂから構成され、縁枠１１ｂの上縁に板部材１２を固設する。板部材１２の中央には貫通穴１３が設けられている。キー１５はキー部１７、把手１６及びこれらを接続する棒状部１８から構成されており、貫通穴１３の直径はキー部１７の最大直径よりも大きく形成され、把手１６の最大直径よりも小さく形成されている。また、板部材１２の表面又は裏面或いは裏面方向（裏面から離れた位置）にワンタッチクリップ１５が板部材１２から離脱困難又は離脱不能にする離脱防止手段２０（後述する）が設けられている。
【００１８】
従って、キー１５は板部材１２に対して接近及び離反する方向に移動可能で、キー１５の中心軸回りに回転可能であるが、板部材１２から離脱困難又は離脱できないように構成されている。なお、板部材１２を設ける代わりに縁枠１１ｂの上縁を利用して貫通穴１３を設けるようにしてもよい。更に、貫通穴１３は１個に限定されるのではなく、ワンタッチクリップと同数個の貫通穴を設ける。
【００１９】
一方、錠側（固定側）を図１（Ｂ）及び図２（Ａ）、図２（Ｃ）、図２（Ｄ）に示す。図に示す様に、錠２５は固定板２１に取付けて固定される。錠２５は固定板２１に取付ける取付部２４（取付板２４ａ、２４ｂ及び中間接続板２４ｃ）と鍵穴２３を有する鍵穴板２６から構成されている。なお、固定板２１は一枚の板部材折り曲げて形成してもよい。固定板２１及び取付板２４ｂにはキー１５が挿入される位置にキー部１７が回転できるようなサイズの穴２８を設け、鍵穴板２６にはキー部１７を鉛直にして通過させ、棒状部１８を挿入及び回転が可能なキー穴２３を設ける。また、鍵穴板２６は弾性材で構成し、キー１５の挿入方向に対して上下に傾斜させて、挿入状態でキー部１７の自由回転を防止している。さらに、防塵ネット１１を係止するフックはＹ字形状、Ｕ字形状のフックを設けて上方から防塵ネット１１の下縁枠１１ｂを挿入し、係止するようにしたものでもよい。
【００２０】
実施形態１は図５（特許文献３）と同様に、ラジエータ５１ａの下側に係合ピン６２を設け、縁枠１１の下縁に係合ピン６２と係合する切り欠き７３を設けるようにしてもよい。また、固定板２１は、特許文献３（図４）と同様に、ブラケット５６を側枠５２ａ、５２ｂに設けて固定板２１としてもよいし、別の方法で設けてもよい。
【００２１】
図４は離脱防止手段２０の実施例を示す。図４（Ａ）は離脱困難な離脱防止手段２０（請求項８に相当の防止手段）を示す。図４（Ａ）の上図はキー部１５の側面の断面図で、下図は離脱防止手段２０の平面図を示す。図４（Ａ）に示すように、離脱防止手段２０は中央部が凸状になっているリング形状に弾性板部材４１から構成され、穴４５の直径はキー１５の棒状部１８の直径よりも大きく、キー部１７の最大径よりも小さい。さらに、弾性板部材４１の内周縁から外周に向かって半径方向に複数の切り込み４２が設けられている。弾性板部材４１は板部材１２の裏面（左側）又は表面（右側）に溶接、接着剤等で固設するのが望ましいが、裏面方向に離した状態で設けてもよい。この実施例ではキー部１７を離脱防止手段２０の右側から左側に押圧することにより、キー部１７が切り込み１７を通して挿入可能となっている。しかし、反対方向に引っ張れば離脱は可能であるが、困難を伴う。
【００２２】
図４（Ｂ）は離脱防止手段２０の別の実施例（請求項９に相当の防止手段）を示す。図４（Ｂ）の上図はキー部１５の側面の断面図で、下図は離脱防止手段２０の平面図を示す。図４（Ｂ）に示すように、離脱防止手段２０はリング形状の板部材４４を直径方向に２分割した部材４４，４４から構成され、穴４５の直径はキー１５の棒状部１８の直径よりも大きく、キー部１７の最大径よりも小さい。従って、棒状部１８を板部材１２の穴１３に挿入した状態で分割部材４４，４４を棒状部１８の両方から挟んで、板部材１２の表面又は裏面に固設すれば、キー部１７は板部材１２から離脱不能になる。
【００２３】
以上に説明したように、実施形態１では以下のようにして防塵ネット１１の着脱を行う。防塵ネット１１を取り付けるときは、防塵ネット１１の下部に設けられている係合部（例えば、切り欠き７３）を係合ピンに係合させて、鍵穴２３にキー部１７を挿入できる位置にして（キー部１７を鉛直にして）、把手１６を鍵穴２３方向に押してキー部１７を鍵穴２３に挿入して９０度回転させ、手を離す。これによりキー部１７は鍵穴部２６に押し付けられて自由回転が不能となりキー部１７が保持される。また、防塵ネット１１を取り外すときは把手１６を鍵穴２３方向に押して９０度回転させてキー部を鉛直方向にしてキー部を前側に引いて鍵穴２３から外す。これによって防塵ネット１１を外すことができる。
【００２４】
実施形態１は、以上に説明したように、ワンタッチ操作で防塵ネット１１の着脱作業が容易となり、熱交換器の点検や清掃作業が容易になるという効果が得られる。また、キー１５は防塵ネット１１から外れないように構成したので、キー１５を紛失するおそれが無くなるという効果も得られる。
【００２５】
図３は磁石を利用した実施形態２を示す。図３（Ａ）は鍵穴部３６を示し、図３（Ｂ）はキー３０を示す。図３（Ｃ）はＹ−Ｙから見た矢視図を示し、図３（Ｄ）はＸ−Ｘから見た矢視図を示す。図３（Ｂ）、図３（Ｄ）に示すように、縁枠１１の上縁１１ｂに板部材１２を固定し、板部材１２の中央には穴３４が設けられている。鍵３０は把手３１、直方体の形状をした鉄等からなる磁化部３２、及び接続部３３から構成されており、接続部３３は穴３４に嵌合され、中心軸方向に摺動自在かつ中心軸回りに回転自在に固定されている。
【００２６】
一方、錠側は図３（Ａ）、図３（Ｃ）に示すように、固定板２１に固定ブロック３６が取り付けられている。固定ブロック３６は取付け固定板３７とボックス３８から構成されている。取付け固定板３７の中央には磁化部３２を通過させる長方形の穴３９が設けられており、ボックス３８の底部中央には長方形穴３９と直交する方向に長辺を有する長方形の磁石４０が設けられている。この場合も、ワンタッチクリップ３０の離脱防止手段２０は実施形態１の場合と同様に設ける。
【００２７】
実施形態２は以上のように構成されているので、以下のように機能する。即ち、防塵ネット１１を取付けるときは防塵ネット１１を固定板２１の位置に合わせて把手３１をドア方向に摺動させ、９０度回転させると磁化部３２が磁石４０に固定される。また、防塵ネット１１を固定板２１から外す場合は把手３１を９０度回転させて磁化面積を小さくして、把手３１を手前に引く。以上のように実施形態２も実施形態１と同様に作用し、同様な効果が得られる。
【００２８】
以上本発明の実施形態を図面に基づいて詳述してきたが、本発明の技術範囲はこれに限られるものではなく、特許請求の範囲に記載された発明の技術的範囲によって決定される。
【図面の簡単な説明】
【００２９】
【図１】本発明の実施形態１を示す。（Ａ）キー側斜視図。（Ｂ）固定側斜視図。
【図２】実施形態１の平面図、断面図を示す。（Ａ）キー側断面図。（Ｂ）錠側断面図。（Ｃ）Ｘ−Ｘ矢視図。（Ｄ）Ｙ−Ｙ矢視図。
【図３】実施形態２を示す。（Ａ）錠側断面図。（Ｂ）キー側断面図。（Ｃ）Ｙ−Ｙ矢視図。（Ｄ）Ｘ−Ｘ矢視図。
【図４】（Ａ）、（Ｂ）ワンタッチクリップの離脱防止手段の実施例を示す。
【図５】従来装置の防塵ネットの装着方式を示す。
【符号の説明】
【００３０】
１１        防塵ネット
１１ａ      ネット
１１ｂ      縁枠
１３、３４    貫通穴
キー          １５、３０
１６、３１  把手
１７        キー部
１８、３３        接続棒状部
２０        ワンタッチクリップの離脱防止手段
２１        固定板
２３、３９  鍵穴
２４        取付部
３２        磁化部
３７        固定板
３８        ボックス
４０        磁石
【図１】
2011236693.tif 000003
【図２】
2011236693.tif 000004
【図３】
2011236693.tif 000005
【図４】
2011236693.tif 000006
【図５】
2011236693.tif 000007